(57)【特許請求の範囲】
【請求項１】
ＦＰＣ挿入部（３１）が形成された絶縁ハウジング（３０）と、
絶縁ハウジング（３０）に所定のピッチで横並びに装着された複数の端子（５０）と、
ＦＰＣ（２０）の接点（２１）と端子（５０）のコンタクト（５５）を当接させるために、絶縁ハウジング（３０）と略平行となる第１の位置と、絶縁ハウジング（３０）上に立上る第２の位置の間で回動可能に設けられたアクチュエータ（７０）と、を備え、
前記端子（５０）が、前記ＦＰＣ挿入部（３１）に延びるコンタクトビーム（５２）と、コンタクトビーム（５２）の上側に略平行となって延びる枢支ビーム（５３）とを有しており、この枢支ビーム（５３）の先端部下縁に切欠部（５６）が形成されて前記アクチュエータ（７０）の枢支部（５７）を構成し、
前記アクチュエータ（７０）が、各端子（５０）の枢支部（５７）に対応する貫通孔（７２）を有し、貫通孔（７２）の孔縁部を断面略円形の軸部（７１）として前記枢支部（５７）に係合すると共に、前記絶縁ハウジング（３０）の両端部で支持部材（６０，６４）に支持されており、
さらに、前記アクチュエータ（７０）には、ＦＰＣ（２０）を端子（５０）のコンタクト（５５）へ向かって押圧する加圧用突部（７３）が形成されており、アクチュエータ（７０）の回動に伴って回動する前記加圧用突部（７３）でＦＰＣ（２０）を端子（５０）のコンタクト（５５）へ向けて押圧するように構成されたＦＰＣ用コネクタ（１０）において、
前記アクチュエータ（７０）に形成された貫通孔（７２）の軸部（７１）と後縁との間の開口寸法（Ａ）が、端子（５０）の枢支部（５７）の高さ方向寸法（Ｂ）よりも小さくされていると共に、
前記アクチュエータ（７０）に形成された加圧用突部（７３）が、アクチュエータ（７０）の隣り合う軸部（７１）の間に軸部（７１）とは分離して設けられ、前記加圧用突部（７３）が、前記端子（５０）の隣り合う枢支ビーム（５３）の間に位置すると共に、隣り合うコンタクトビーム（５２）の間に位置するように構成されており、
前記アクチュエータ（７０）は、端子（５０）が装着された絶縁ハウジング（３０）の前方で、アクチュエータ（７０）を前記第１の位置の姿勢としてＦＰＣ挿入部（３１）に臨ませると共に、軸部（７１）を枢支部（５７）より低い位置に位置させ、そのままの姿勢で、アクチュエータ（７０）をＦＰＣ挿入部（３１）の内部に向けて水平移動させて、軸部（７１）を枢支部（５７）の切欠部（５６）の下方に位置させた後に、アクチュエータ（７０）を上方へ移動させて、アクチュエータ（７０）の軸部（７１）を端子（５０）の切欠部（５６）内に納めることにより、軸部（７１）が枢支部（５７）に係合させられるものであり、さらに、この状態でアクチュエータ（７０）の両端部を絶縁ハウジング（３０）の両端部に装着される支持部材（６０，６４）で支持することにより、軸部（７１）と枢支部（５７）の係合が維持されると共に、前記アクチュエータ（７０）が、所定の位置に組み付けられることを特徴とするＦＰＣ用コネクタ。
【請求項２】
前記アクチュエータ（７０）に形成された貫通孔(７２)の軸部(７１)と対向する後縁には傾斜面(７４)が形成されており、アクチュエータ(７０)が前記第１の位置から第２の位置へ９０度を越えて回動可能とされていると共に、第２の位置において前記傾斜面(７４)が前記枢支ビーム(５３)の上縁に当接するように構成されていることを特徴とする請求項１記載のＦＰＣ用コネクタ。
【請求項３】
前記支持部材（６０，６４）は、アクチュエータ（７０）の両端部に設けられたボス７５を支持する支持縁６１を中間部に有すると共に、その先に絶縁ハウジング（３０）と係合する係合部（６２）を有して成り、アクチュエータ（７０）の軸部（７１）と端子（５０）の枢支部（５７）を係合させた状態で、支持部材（６０，６４）を絶縁ハウジング（３０）の両端部に装着することによって、アクチュエータ（７０）のボス（７５）を支持縁（６１）で支持すると同時に、軸部（７１）と枢支部（５７）の係合を維持し、前記アクチュエータ（７０）が所定の位置に組み付けられることを特徴とする請求項１又は請求項２記載のＦＰＣ用コネクタ。
【請求項４】
前記支持部材（６４）は、支持縁（６１）と係合部（６２）との間に低縁部（６５）を有し、絶縁ハウジング（３０）の両端部に支持部材（６４）を仮装着した状態でアクチュエータ（７０）の軸部（７１）と端子（５０）の枢支部（５７）を係合させ、その後に支持部材（６４）が本装着され、前記アクチュエータ（７０）が所定の位置に組み付けられることを特徴とする請求項３記載のＦＰＣ用コネクタ。
【発明の詳細な説明】
【０００１】
【発明の属する技術分野】
この発明は、一般にＦＰＣ、ＦＦＣなどと呼ばれている平形柔軟ケーブル（この明細書ではこれらを代表して「ＦＰＣ」としている。）を接続できるようにしたＦＰＣ用コネクタに関する。
【０００２】
【従来の技術】
従来のＦＰＣ用コネクタは、通常、ＦＰＣ挿入部が形成された絶縁ハウジングと、絶縁ハウジングに所定のピッチで横並びに装着された複数の端子と、ＦＰＣの接点と端子のコンタクトを当接させるために、回動可能に設けられたアクチュエータとで構成されている。
【０００３】
アクチュエータを回動可能に支持する構造としては、図１３、１４に示されたように、端子１００に枢支ビーム１０１を設け、この枢支ビーム１０１の先端部に枢支部１０２を形成して、アクチュエータ１０３のカム部１０４を係合させる構造が提案されている（特開２０００−１０６２３８号、特開２００１−７６７９４号公報等参照）。すなわち、アクチュエータ１０３の側縁部に、端子１００の枢支部１０２と対応させて貫通孔１０５が形成され、貫通孔１０５の孔縁部を、図示されたような断面形状のカム部１０４とし、このカム部１０４を枢支部１０２に係合させている。したがって、カム部１０４は、端子１００のコンタクトビーム１０６の上方で枢支部１０２と係合している。
【０００４】
このようなアクチュエータ１０３を端子１００が装着された絶縁ハウジング１０７に組み付けるに当たっては、アクチュエータ１０３を絶縁ハウジング１０７に対して略直角の立上った姿勢として、絶縁ハウジング１０７の前方（各図において左方）から後方へ平行移動するようにして、端子１００の枢支部１０２をアクチュエータ１０３の貫通孔１０５へ進入させるようにする。このため、貫通孔１０５の開口寸法（図１３におけるＡ）は、端子１００の枢支部１０２の高さ方向寸法（図１３におけるＢ）に対して大きくされて、余裕を持って進入ができるようにしている。
【０００５】
【発明が解決しようとする課題】
上記のような従来技術においては、アクチュエータ１０３側に設けるカム部１０４が端子１００のコンタクトビーム１０６の位置に対応することになるので、アクチュエータ１０３の組み付けの際に、カム部１０４がコンタクトビーム１０６のコンタクトと干渉するおそれがあり、アクチュエータの組み付けに注意が必要となって作業性を損ない、また、コンタクトを傷付けて電気的接続の性能を低下させる問題があった。コネクタの低背化を図れば図るほど、端子のコンタクトビームと枢支ビームが接近するので、この問題の解決の必要性が大きかった。
【０００６】
また、アクチュエータ１０３の貫通孔１０５の開口寸法（Ａ）を端子１００の枢支部１０２の高さ方向寸法（Ｂ）に比べて大きくするので、各図に示した開放状態のアクチュエータ１０３を矢示Ｒのように回動させて閉鎖状態としてＦＰＣの接続を行う時に、枢支部１０２とカム部１０４の係合が外れてアクチュエータ１０３が回動することなく前方へ脱出してしまうことがあった。アクチュエータ１０３の前方への移動を阻止するのは、カム部１０４と枢支部１０２の係合部分のみであり、アクチュエータ１０３を前方へ脱出させる分力（回動時の）が大きくなると、カム部１０４が枢支部１０２を乗り越えてしまうことが可能の構造となっているためである。
【０００７】
更には、図１３に示した従来例では、カム部１０４が枢支部１０２の切欠部に全て収容される構造となっており、またカム部１０４自体で挿入されたＦＰＣをコンタクトビーム１０６側へ押圧してコンタクトビーム１０６のコンタクトとＦＰＣの接点（この図の場合では下面接点）を接触させて電気的導通状態を得るようになっていることから、枢支部１０２に必要な強度を得るためには枢支ビーム１０１の高さ方向の幅を大きくしなければならず、これに対して、コネクタの低背化には枢支ビーム１０１の高さ方向の幅を小さくしなければならないなど、従来のアクチュエータの支持構造には、コネクタの設計上の自由度が制限される問題もあった。
【０００８】
この発明は斯かる問題点に鑑みてなされたもので、アクチュエータの組み付けが容易であり、しかも、組み付け時に端子のコンタクトを傷付けるおそれのない構造のＦＰＣ用コネクタを提供することを基本的な目的としている。また、アクチュエータが回動中に外れるおそれのない構造のＦＰＣ用コネクタを提供することを別の目的としている。更には、コネクタの設計上の自由度を大きくできるアクチュエータの支持構造を備えたＦＰＣ用コネクタを提供することをも別の目的としている。
【０００９】
【課題を解決するための手段】
前記の目的のもとになされたこの発明では、端子の枢支部と係合する軸部と、カム部を構成する加圧用突部が構造的に分離されてアクチュエータに設けられている。
【００１０】
即ちこの発明は、ＦＰＣ挿入部が形成された絶縁ハウジングと、
絶縁ハウジングに所定のピッチで横並びに装着された複数の端子と、
ＦＰＣの接点と端子のコンタクトを当接させるために、絶縁ハウジングと略平行となる第１の位置と、絶縁ハウジング上に立上る第２の位置の間で回動可能に設けられたアクチュエータと、を備え、
前記端子が、前記ＦＰＣ挿入部に延びるコンタクトビームと、コンタクトビームの上側に略平行となって延びる枢支ビームとを有しており、この枢支ビームの先端部下縁に切欠部が形成されて前記アクチュエータの枢支部を構成し、
前記アクチュエータが、各端子の枢支部に対応する貫通孔を有し、貫通孔の孔縁部を断面略円形の軸部として前記枢支部に係合すると共に、前記絶縁ハウジングの両端部で支持部材に支持されており、
さらに、前記アクチュエータには、ＦＰＣを端子のコンタクトへ向かって押圧する加圧用突部が形成されており、アクチュエータの回動に伴って回動する前記加圧用突部でＦＰＣを端子のコンタクトへ向けて押圧するように構成されたＦＰＣ用コネクタにおいて、
前記アクチュエータに形成された貫通孔の軸部と後縁との間の開口寸法が、端子の枢支部の高さ方向寸法よりも小さくされていると共に、
前記アクチュエータに形成された加圧用突部が、アクチュエータの隣り合う軸部の間に軸部とは分離して設けられ、前記加圧用突部が、前記端子の隣り合う枢支ビームの間に位置すると共に、隣り合うコンタクトビームの間に位置するように構成されており、
前記アクチュエータは、端子が装着された絶縁ハウジングの前方で、アクチュエータを前記第１の位置の姿勢としてＦＰＣ挿入部に臨ませると共に、軸部を枢支部より低い位置に位置させ、そのままの姿勢で、アクチュエータをＦＰＣ挿入部の内部に向けて水平移動させて、軸部を枢支部の切欠部の下方に位置させた後に、アクチュエータを上方へ移動させて、アクチュエータの軸部を端子の切欠部内に納めることにより、軸部が枢支部に係合させられるものであり、さらに、この状態でアクチュエータの両端部を絶縁ハウジングの両端部に装着される支持部材で支持することにより、軸部と枢支部の係合が維持されると共に、前記アクチュエータが、所定の位置に組み付けられることを特徴とするＦＰＣ用コネクタである。
【００１１】
【作用】
この発明のＦＰＣ用コネクタでは、アクチュエータに設けられる加圧用突部が端子の枢支部と係合する軸部間に軸部とは分離して設けられた構成であるので、加圧用突部は端子のコンタクトと直接対向しないことになる。すなわち、並列しているコンタクトおよびコンタクトビームの間に加圧用突部が配置される。したがって、アクチュエータを絶縁ハウジングに組み付ける際に、加圧用突部がコンタクトに干渉しないようにできる。
【００１２】
【発明の実施の形態】
以下、この発明の実施形態を添付の図を参照して説明する。
【００１３】
図１、２は、実施形態のＦＰＣ用コネクタ１０を斜視図で表している。それぞれ、ＦＰＣ用コネクタ１０の一方の端部を破切して示している。図３、４は、ＦＰＣ用コネクタ１０を断面図で表している。これらの図は、接続するＦＰＣ２０が挿入された状態で示している。
【００１４】
実施形態のＦＰＣ用コネクタ１０は、絶縁ハウジング３０と、複数の端子５０と、アクチュエータ７０とを備えている。絶縁ハウジング３０およびアクチュエータ７０は、絶縁性のプラスチックが成形されたものであり、端子５０は、薄金属板を打ち抜いて成形されたものである。
【００１５】
絶縁ハウジング３０は、前部（図１、２において左手前、図３、４において左側）にＦＰＣ挿入部３１が設けられて前端で開口している。ＦＰＣ挿入部３１の下部は、底板３２で仕切られている一方、上部は、アクチュエータ７０で開閉されるようになっている。
【００１６】
端子５０は、絶縁ハウジング３０の後端側から所定のピッチで横並びに複数装着されている。各端子５０は、基部５１からコンタクトビーム５２と枢支ビーム５３がそれぞれ片持ち梁状となって延びており、絶縁ハウジング３０に装着すると、コンタクトビーム５２がＦＰＣ挿入部３１の下部に底板３２に沿って延び、また、枢支ビーム５３がその上方に対向するように延びるようにしてある。装着された端子５０は、枢支ビーム５３に設けた係止部５４が絶縁ハウジング３０と係止して固定されるようにしてある。
【００１７】
コンタクトビーム５２の先端部上縁には、突起状のコンタクト５５が形成されている。また、枢支ビーム５３は、先端部下縁に切欠部５６が設けられて、アクチュエータ７０の枢支部５７を構成している。端子５０の基部５１には、更に半田テイル５８が下部から後方に向けて突出するように設けてあり、絶縁ハウジング３０の底面と略面一となって表面半田付けができるようにされている。
【００１８】
アクチュエータ７０は、前記のように、ＦＰＣ挿入部３１の上部を開閉できるようにした板状に成形されている。前記端子５０の枢支ビーム５３に設けた枢支部５７と係合させるために、アクチュエータ７０の一側縁には、枢支ビーム５３の位置に対応するように、断面円形の軸部７１が設けてある。この軸部７１は、アクチュエータ７０の一側縁に、枢支ビーム５３と対応するように貫通孔７２を設けることによって形成されているもので、貫通孔７２の周囲の孔縁部のうち、外縁側の孔縁部を断面円形にして形成されている。各枢支部５７に対応させて設けて隣り合っている軸部７１の間には、加圧用突部７３が形成され、アクチュエータ７０の下面に突出させてある。この加圧用突部７３は、端子５０の隣り合う枢支ビーム５３の間に位置し、したがって、隣り合うコンタクトビーム５２に対しても、それらの間に位置するようになっている。
【００１９】
アクチュエータ７０に設けた軸部７１を端子５０の枢支部５７に係合させることで、アクチュエータ７０は、図２、４のように絶縁ハウジング３０と略平行となって水平の姿勢となる第１の位置と、図１、３のように絶縁ハウジング３０上に立上った姿勢となる第２の位置の間で、回動可能となっている。第２の位置の立上った姿勢は、水平の姿勢に直角の垂直の姿勢を経て更に回動した位置にある。即ち、アクチュエータ７０は、角度９０度を越えて回動できるようにされている。このため、前記貫通孔７２の軸部７１に対向する孔縁には傾斜面７４が形成され、傾斜面７４が枢支ビーム５３の上縁に当接するようにしてある。したがって、第２の位置まで回動させたアクチュエータ７０は、手などで支えていなくてもその位置に止まっていることができるようにしてある。
【００２０】
アクチュエータ７０に形成した貫通孔７２の開口寸法Ａ（図３、４参照）は、端子５０の枢支部５７の高さ方向寸法Ｂ（図３、４参照）よりも小さくされている。これは、アクチュエータ７０の回動操作をする際に、アクチュエータ７０に絶縁ハウジング３０の前方に向かう分力が作用しても、枢支部５７が貫通孔７２から抜けないようにし、軸部７１が枢支部５７の切欠部５６内に止まって、枢支部５７との係合が外れることなく維持できるようにするためである。したがって、アクチュエータ７０を開状態の第２の位置から閉状態の第１の位置へ回動する際に、アクチュエータ７０は、端子５０の枢支部５７との係合が外れて脱出しないようになっている。
【００２１】
貫通孔７２の開口寸法Ａを枢支部５７の高さ方向寸法Ｂよりも小さく構成した結果、アクチュエータ７０の組み付けは、図５〜図７に示したように、軸部７１を枢支部５７の下方に位置させた後、上方に移動させて軸部７１と枢支部５７を係合させるようにしてある。すなわち、図５に示したように、端子５０が装着された絶縁ハウジング３０の前方で、アクチュエータ７０を前記第１の位置の姿勢（略水平の姿勢）としてＦＰＣ挿入部３１に臨ませる。この時、軸部７１は枢支部５７より低い位置となるようにする。次いで、図６に示したように、アクチュエータ７０をそのままの姿勢でＦＰＣ挿入部３１の内部に向けて水平移動させ、軸部７１が枢支部５７の切欠部５６の下方に位置するように進入させる。そして最後に、図７に示したように、アクチュエータ７０を上方へ移動させて、軸部７１が切欠部５６内に納まるようにして軸部７１と枢支部５７を係合させる。
【００２２】
このようにして組み付けられたアクチュエータ７０は、軸部７１と枢支部５７の係合状態を常時維持するために、両端部にボス７５（図１、２においては片側のボス７５だけが表れている）が設けてあり、絶縁ハウジング３０の両側部に前端面から装着した支持部材６０で支持している。支持部材６０に形成した支持縁６１の上側にボス７５を載せて、所定の位置に組み付けられたアクチュエータ７０が下方へ降下しないようにしてある。
【００２３】
図８には、支持部材６０が示されている。端子５０と同じように、薄金属板を打ち抜いて成形されている。アクチュエータ７０のボス７５を支持する支持縁６１が中間部に形成され、その先に絶縁ハウジング３０と係合する係合部６２が設けられている。この支持部材６０は、更に、ネイル６３を基部一側に一体に備えており、支持部材６０を絶縁ハウジング３０に装着すると、図９に示されているように、ネイル６３が絶縁ハウジング３０の前方側部に配置されて、半田付け面６３ａが絶縁ハウジング３０の底面と略面一になるようにされている。前記に説明したように、アクチュエータ７０を組み付けて軸部７１と端子５０の枢支部５７を係合させた状態で、この支持部材６０を絶縁ハウジング３０に装着することで、図１０に示したように、アクチュエータ７０のボス７５を支持縁６１で支持して、軸部７１と枢支部５７の係合が維持されている。
【００２４】
アクチュエータ７０の組み付け後に装着される図８の支持部材６０は、図１１に示したような形状の支持部材６４とすることもできる。この支持部材６４の場合、支持縁６１と係合部６２の間に低縁部６５が設けてあるので、アクチュエータ７０の組み付け前に、図１２に示したように、支持部材６４を仮装着し、その後に、アクチュエータ７０の組み付けを行い、次いで、支持部材６４を本装着するという工程を採ることができる。
【００２５】
図３、４に戻って、ＦＰＣ２０を接続する様子を説明する。ＦＰＣ２０の接続は、図３のように、アクチュエータ７０を第２の位置に置いて、ＦＰＣ２０の端部をＦＰＣ挿入部３１へ挿入し、次いで、アクチュエータ７０を図において反時計周りの方向へ、図４の第１の位置まで回動させる。アクチュエータ７０は、枢支部５７に係合している軸部７１を中心として回動し、これに伴って加圧用突部７３も回動する。加圧用突部７３は、ＦＰＣ２０に対してカムとして作用し、ＦＰＣ２０を下方のコンタクトビーム５２側へ押圧する。この結果、コンタクトビーム５２の弾性変形を伴った状態で、コンタクト５５とＦＰＣ２０の接点２１は電気的接続に必要な接触圧で互いに係合し、信頼性の高い接続を形成する。
【００２６】
このように、実施形態のＦＰＣ用コネクタ１０では、アクチュエータ７０に設ける、カム作用のための加圧用突部７３を端子５０の枢支部５７と係合する軸部７１とは分離して、隣り合う軸部７１の間に設けたので、アクチュエータ７０を組み付けるに際しては、端子５０側のコンタクトビーム５２および枢支ビーム５３の間にこの加圧用突部７３を位置させることができる。この結果、アクチュエータ７０の組み付けの際に、加圧用突部７３が、特に、コンタクトビーム５２並びにコンタクト５５と干渉して、それらを傷付けることをなくすることができる。したがって、アクチュエータ７０の組み付けを容易にし、組み付け作業の能率を向上させることができる。
【００２７】
ＦＰＣ２０の接続に際して、組み付けられたアクチュエータ７０を回動させる時には、アクチュエータ７０に絶縁ハウジング３０の前方に向かう分力が作用し、枢支部５７から外れて脱出しようとする。アクチュエータ７０が絶縁ハウジング３０に対して略垂直に立上って、加圧用突部７３がＦＰＣ２０に対してカム動作を開始する時点で、この傾向が最も顕著である。実施形態のＦＰＣ用コネクタ１０では、貫通孔７２の開口寸法Ａが枢支部５７の高さ方向寸法Ｂに比べて小さくしてあるので、枢支部５７が貫通孔７２から抜け出すことが防止され、軸部７１と枢支部５７の係合が、アクチュエータ７０の回動中に外れないようにできる。したがって、アクチュエータ７０の回動操作によってＦＰＣ２０の接続を確実に実行することができる。
【００２８】
アクチュエータ７０の軸部７１と加圧用突部７３を分離した構造は、アクチュエータ７０や端子５０に設計上の自由度を与えるという有利な面もある。すなわち、軸部７１は断面円形という簡単な構造にできるのに加えて、加圧用突部７３も、その突出の程度をＦＰＣ２０の厚みのみを考慮して独自に設計することができる。また、端子５０の枢支部５７も、軸部７１を収容できる切欠部５６を形成するだけで、カム部材（加圧用突部）の形状に影響されないので、低背化を考慮しながらの設計を容易に行うことを可能にする。
【００２９】
【発明の効果】
以上に説明の通り、この発明によれば、アクチュエータに、枢支部と係合する軸部と、カム作用のための加圧用突部を分離して設けた構成であるので、アクチュエータの組み付けに際して、加圧用突部が端子のコンタクトやコンタクトビームと干渉しないようにして、組み付けを容易にし、能率の良い製造が可能なＦＰＣ用コネクタを提供できる。
【００３０】
また、アクチュエータに形成される貫通孔の開口寸法を端子の枢支部の高さ方向寸法よりも小さくすることで、アクチュエータの回動の際に、アクチュエータが枢支部から外れないようにできる。この結果、ＦＰＣの接続作業を確実にできるＦＰＣ用コネクタとすることができる。
【００３１】
加えて、アクチュエータの軸部と加圧用突部を分離して設けた構成によって、アクチュエータや端子の設計上の自由度を大きくすることができる。このため、ＦＰＣ用コネクタの低背化も容易にする。
【図面の簡単な説明】
【図１】  この発明の実施形態のＦＰＣ用コネクタの、アクチュエータを第２の位置に置いた状態の一部を破切した斜視図である。
【図２】  同じく、アクチュエータを第１の位置に回動した状態の一部を破切した斜視図である。
【図３】  この発明の実施形態のＦＰＣ用コネクタの、アクチュエータを第２の位置に置いてＦＰＣを挿入した状態の断面図である。
【図４】  同じく、アクチュエータを第１の位置に回動した状態の断面図である。
【図５】  アクチュエータの組み付けを説明する図で、アクチュエータをＦＰＣ挿入部に臨ませて配置した時の断面図である。
【図６】  図５の状態からアクチュエータを進入させた時の断面図である。
【図７】  図６の状態からアクチュエータを上方に移動させた状態の断面図である。
【図８】  実施形態の支持部材の正面図である。
【図９】  支持部材の装着部分を示す実施形態のＦＰＣ用コネクタの一部正面図である。
【図１０】  アクチュエータのボスが支持部材で支持されている部分を示す断面図である。
【図１１】  別の実施形態の支持部材の正面図である。
【図１２】  別の実施形態の支持部材が仮装着された状態を示す断面図である。
【図１３】  従来のＦＰＣ用コネクタの断面図である。
【図１４】  従来の別のＦＰＣ用コネクタの断面図である。
【符号の説明】
１０          ＦＰＣ用コネクタ
２０          ＦＰＣ
２１          接点
３０          絶縁ハウジング
３１          ＦＰＣ挿入部
５０          端子
５２          コンタクトビーム
５３          枢支ビーム
５５          コンタクト
５６          切欠部
５７          枢支部
６０          支持部材
６１          支持縁
６４          支持部材
７０          アクチュエータ
７１          軸部
７２          貫通孔
７３          加圧用突部
７５          ボス
【図１】
0003666445.tif 000002
【図２】
0003666445.tif 000003
【図３】
0003666445.tif 000004
【図４】
0003666445.tif 000005
【図５】
0003666445.tif 000006
【図６】
0003666445.tif 000007
【図７】
0003666445.tif 000008
【図８】
0003666445.tif 000009
【図９】
0003666445.tif 000010
【図１０】
0003666445.tif 000011
【図１１】
0003666445.tif 000012
【図１２】
0003666445.tif 000013
【図１３】
0003666445.tif 000014
【図１４】
0003666445.tif 000015